【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
物体側から順に、負の屈折力を有する第１レンズ群、開口絞りを含む正の屈折力を有する第２レンズ群、負の屈折力を有する第３レンズ群、正の屈折力を有する第４レンズ群からなり、
前記第１レンズ群は、物体側から順に負の屈折力を有する副群、正の屈折力を有する副群からなり、
前記第３レンズ群は、物体側から順に負レンズと正メニスカスレンズからなる物体側に凸面を向けた接合レンズのみで構成されるフォーカス群であることを特徴とする結像光学系。
【請求項２】
下記条件式（５）を満たすことを特徴とする請求項１に記載の結像光学系。
−２．５≦（ＲＧ３ｂ＋ＲＧ３ａ）／（ＲＧ３ｂ−ＲＧ３ａ）＜−１  ・・・（５）
ここで、
ＲＧ３ａは前記結像光学系の前記第３レンズ群の前記接合レンズの物体側の面の曲率半径、
ＲＧ３ｂは前記結像光学系の前記第３レンズ群の前記接合レンズの像側の面の曲率半径、
である。
【請求項３】
下記条件式（６）を満たすことを特徴とする請求項１又は請求項２に記載の結像光学系。
−１．９５≦（ＲＧ３ｏｂ＋ＲＧ３ｏａ）／（ＲＧ３ｏｂ−ＲＧ３ｏａ）＜−１  ・・・（６）
ここで、
ＲＧ３ｏａは前記結像光学系の前記第３レンズ群の前記負レンズの物体側の面の曲率半径、
ＲＧ３ｏｂは前記結像光学系の前記第３レンズ群の前記負レンズの像側の面の曲率半径、
である。
【請求項４】
下記条件式（１）を満たすことを特徴とする請求項１から請求項３のいずれか１項に記載の結像光学系。
Ｎｄ３≦−０．０３×νｄ３＋２．３７  ・・・（１）
ここで、
Ｎｄ３は前記結像光学系の前記第３レンズ群の前記正メニスカスレンズの硝材のｄ線の屈折率、
νｄ３は前記結像光学系の前記第３レンズ群の前記正メニスカスレンズの硝材のｄ線基準のアッベ数（ｎｄ１−１）／（ｎＦ１−ｎＣ１）、
ｎｄ１、ｎＣ１、ｎＦ１はそれぞれ前記第３レンズ群の前記正メニスカスレンズの硝材のｄ線、Ｃ線、Ｆ線の屈折率、
である。
【請求項５】
下記条件式（２）を満たすことを特徴とする請求項１から請求項４のいずれか１項に記載の結像光学系。
３．３≦ｆ１Ｔ／ＦＷ≦５．８  ・・・（２）
ここで、
ｆ１Ｔは前記結像光学系の前記第１レンズ群の前記正の屈折力を有する副群の焦点距離、
ＦＷは前記結像光学系の広角端での光学系全系の焦点距離、
である。
【請求項６】
下記条件式（３）を満たすことを特徴とする請求項１から請求項５のいずれか１項に記載の結像光学系。
０．３７５≦ｄ１Ｔ／ｄＧ１≦０．５２  ・・・（３）
ここで、
ｄ１Ｔは前記結像光学系の前記第１レンズ群の前記正の屈折力を有する副群と前記負の屈折力を有する副群との間の光軸上における間隔、
ｄＧ１は前記結像光学系の前記第１レンズ群の開始面から最終面までの光軸上における間隔、
である。
【請求項７】
下記条件式（４）を満たすことを特徴とする請求項１から請求項６のいずれか１項に記載の結像光学系。
０．９１≦（ＭＧＷ×ＭＧｔ）１／２≦１．１５  ・・・（４）
ここで、
ＭＧＷは、前記結像光学系の広角端での前記第２レンズ群以降の合成倍率、
ＭＧｔは、前記結像光学系の望遠端での前記第２レンズ群以降の合成倍率、
である。
【請求項８】
前記第４レンズ群において、下記条件式（７）を満たすレンズ成分が少なくとも１つあることを特徴とする請求項１から請求項７のいずれか１項に記載の結像光学系。
−４．５≦（ＲＧ４ｂ＋ＲＧ４ａ）／（ＲＧ４ｂ−ＲＧ４ａ）≦−１．２  ・・・（７）
ここで、
ＲＧ４ａは前記結像光学系の前記第４レンズ群内のレンズの物体側の面の曲率半径、
ＲＧ４ｂは前記結像光学系の前記第４レンズ群内のレンズの像側の面の曲率半径、
である。
【請求項９】
前記結像光学系の前記第２レンズ群において、メニスカス形状の空気レンズが少なくとも２つあることを特徴とする請求項１から請求項８のいずれか１項に記載の結像光学系。
【請求項１０】
前記結像光学系の前記第２レンズ群において、前記メニスカス形状の空気レンズ同士の間にあるレンズ成分が１つのみであることを特徴とする請求項９に記載の結像光学系。
【請求項１１】
前記結像光学系の前記第２レンズ群において、物体側に凸面を向けた前記メニスカス形状の空気レンズが以下の条件式（８）を満たすことを特徴とする請求項９又は請求項１０に記載の結像光学系。
１．３≦｜（ＲＧ２ｍｂ＋ＲＧ２ｍａ）／（ＲＧ２ｍｂ−ＲＧ２ｍａ）｜  ・・・（８）
ここで、
ＲＧ２ｍａは前記結像光学系の前記第２レンズ群内の前記メニスカス形状の空気レンズの物体側の面の曲率半径、
ＲＧ２ｍｂは前記結像光学系の前記第２レンズ群内の前記メニスカス形状の空気レンズの像側の面の曲率半径である。
【請求項１２】
前記第２レンズ群の最終面よりも物体側に前記開口絞りがあることを特徴とする請求項１から請求項１１のいずれか１項に記載の結像光学系。
【請求項１３】
前記第４レンズ群がズーム変動時に位置が固定であることを特徴とする請求項１から請求項１２のいずれか１項に記載の結像光学系。
【請求項１４】
前記第１レンズ群がズーム変動時に位置が固定であることを特徴とする請求項１から請求項１３のいずれか１項に記載の結像光学系。
【請求項１５】
請求項１から請求項１４の何れかに記載の結像光学系と、
撮像素子と、
を備えたことを特徴とする撮像装置。
【手続補正２】
【補正対象書類名】明細書
【補正対象項目名】００１０
【補正方法】変更
【補正の内容】
【００１０】
上述した課題を解決し、目的を達成するために、本発明に係る結像光学系は、物体側から順に、負の屈折力を有する第１レンズ群、開口絞りを含む正の屈折力を有する第２レンズ群、負の屈折力を有する第３レンズ群、正の屈折力を有する第４レンズ群からなり、第１レンズ群は、物体側から順に負の屈折力を有する副群、正の屈折力を有する副群からなり、第３レンズ群は、物体側から順に負レンズと正メニスカスレンズからなる物体側に凸面を向けた接合レンズのみで構成されるフォーカス群であることを特徴とする。
【手続補正３】
【補正対象書類名】明細書
【補正対象項目名】００１１
【補正方法】変更
【補正の内容】
【００１１】
本発明に係る結像光学系は、下記条件式（５）を満たすことが好ましい。
−２．５≦（ＲＧ３ｂ＋ＲＧ３ａ）／（ＲＧ３ｂ−ＲＧ３ａ）＜−１  ・・・（５）
ここで、
ＲＧ３ａは結像光学系の第３レンズ群の接合レンズの物体側の面の曲率半径、
ＲＧ３ｂは結像光学系の第３レンズ群の接合レンズの像側の面の曲率半径、
である。
【手続補正４】
【補正対象書類名】明細書
【補正対象項目名】００１２
【補正方法】変更
【補正の内容】
【００１２】
本発明に係る結像光学系は、下記条件式（６）を満たすことが好ましい。
−１．９５≦（ＲＧ３ｏｂ＋ＲＧ３ｏａ）／（ＲＧ３ｏｂ−ＲＧ３ｏａ）＜−１  ・・・（６）
ここで、
ＲＧ３ｏａは結像光学系の第３レンズ群の負レンズの物体側の面の曲率半径、
ＲＧ３ｏｂは結像光学系の第３レンズ群の負レンズの像側の面の曲率半径、
である。
【手続補正５】
【補正対象書類名】明細書
【補正対象項目名】００１３
【補正方法】変更
【補正の内容】
【００１３】
本発明に係る結像光学系は、下記条件式（１）を満たすことが好ましい。
Ｎｄ３≦−０．０３×νｄ３＋２．３７  ・・・（１）
ここで、
Ｎｄ３は結像光学系の第３レンズ群の正メニスカスレンズの硝材のｄ線の屈折率、
νｄ３は結像光学系の第３レンズ群の正メニスカスレンズの硝材のｄ線基準のアッベ数（ｎｄ１−１）／（ｎＦ１−ｎＣ１）、
ｎｄ１、ｎＣ１、ｎＦ１はそれぞれ第３レンズ群の正メニスカスレンズの硝材のｄ線、Ｃ線、Ｆ線の屈折率、
である。
【手続補正６】
【補正対象書類名】明細書
【補正対象項目名】００１４
【補正方法】変更
【補正の内容】
【００１４】
本発明に係る結像光学系は、下記条件式（２）を満たすことが好ましい。
３．３≦ｆ１Ｔ／ＦＷ≦５．８  ・・・（２）
ここで、
ｆ１Ｔは結像光学系の第１レンズ群の正の屈折力を有する副群の焦点距離、
ＦＷは結像光学系の広角端での光学系全系の焦点距離、
である。
【手続補正７】
【補正対象書類名】明細書
【補正対象項目名】００１５
【補正方法】変更
【補正の内容】
【００１５】
本発明に係る結像光学系は、下記条件式（３）を満たすことが好ましい。
０．３７５≦ｄ１Ｔ／ｄＧ１≦０．５２  ・・・（３）
ここで、
ｄ１Ｔは結像光学系の第１レンズ群の正の屈折力を有する副群と負の屈折力を有する副群との間の光軸上における間隔、
ｄＧ１は結像光学系の第１レンズ群の開始面から最終面までの光軸上における間隔、
である。
【手続補正８】
【補正対象書類名】明細書
【補正対象項目名】００１６
【補正方法】変更
【補正の内容】
【００１６】
本発明に係る結像光学系は、下記条件式（４）を満たすことが好ましい。
０．９１≦（ＭＧＷ×ＭＧｔ）１／２≦１．１５  ・・・（４）
ここで、
ＭＧＷは、結像光学系の広角端での第２レンズ群以降の合成倍率、
ＭＧｔは、結像光学系の望遠端での第２レンズ群以降の合成倍率、
である。
【手続補正９】
【補正対象書類名】明細書
【補正対象項目名】００１９
【補正方法】変更
【補正の内容】
【００１９】
本発明に係る結像光学系は、結像光学系の第２レンズ群において、メニスカス形状の空気レンズ同士の間にあるレンズ成分が１つのみであることが好ましい。